(57)【要約】【課題】突起部の装着性が良好なアイマスクを提供する。【解決手段】アイマスク１００は、目周りを覆うアイマスク本体部１０と、複数の突起部５２がユニット化されて構成されアイマスク本体部１０に対して貼り付けられる突起部ユニット５０と、を備える。【選択図】図１
2019107402.tif 000002
【特許請求の範囲】
【請求項１】
目周りを覆うアイマスク本体部と、
複数の突起部がユニット化されて構成され、前記アイマスク本体部に対して貼り付けられる突起部ユニットと、
を備えるアイマスク。
【請求項２】
複数の前記突起部ユニットを備えている請求項１に記載のアイマスク。
【請求項３】
前記複数の突起部ユニットには、前記複数の突起部の並び方が互いに異なる複数種類の突起部ユニットが含まれている請求項２に記載のアイマスク。
【請求項４】
前記複数の突起部が、Ｉ字状、Ｌ字状、Ｔ字状、十字状又は弧状に並んで配置されている請求項２又は３に記載のアイマスク。
【請求項５】
前記突起部ユニットは、
基部と、
前記基部に設けられている前記複数の突起部と、
前記基部を前記アイマスク本体部に対して貼り付けるための貼付部と、
を備える請求項１から４のいずれか一項に記載のアイマスク。
【請求項６】
前記基部において、前記複数の突起部のうち互いに隣り合う突起部どうしの間の部位に形成された、易破断部を備えている請求項５に記載のアイマスク。
【請求項７】
前記基部において、前記複数の突起部のうち互いに隣り合う突起部どうしの間の部位に形成された、易伸展部を備えている請求項５又は６に記載のアイマスク。
【請求項８】
前記アイマスク本体部は、シート状の基材と、前記基材に設けられた発熱体と、を備えて構成され、
前記突起部の突出方向における前記突起部ユニットの寸法が、前記発熱体の配置領域における前記アイマスク本体部の厚み寸法よりも大きい請求項１から７のいずれか一項に記載のアイマスク。
【請求項９】
前記突起部は、第１段部と、前記第１段部よりも当該突起部の突出方向先端側に配置されていて当該突起部の突出方向に当該突起部を視たときの寸法が前記第１段部よりも小さい第２段部と、を含む複数段構造である請求項１から８のいずれか一項に記載のアイマスク。
【請求項１０】
前記アイマスク本体部は、前記突起部ユニットの貼り付け位置を示す標示部を有する請求項１から９のいずれか一項に記載のアイマスク。
【請求項１１】
前記アイマスク本体部と前記突起部ユニットとが同梱されている請求項１から１０のいずれか一項に記載のアイマスク。
【請求項１２】
前記突起部ユニットが前記アイマスク本体部に貼り付けられている請求項１から９のいずれか一項に記載のアイマスク。
【請求項１３】
使用者が当該アイマスクを着用した状態で、前記複数の突起部のうちの少なくとも１つが前記使用者の目周りのツボを押せる位置に配置されるように構成されている請求項１２に記載のアイマスク。
【請求項１４】
前記突起部として、第１突起部と、突出方向における寸法が前記第１突起部よりも小さい第２突起部と、を含む請求項１２又は１３に記載のアイマスク。
【請求項１５】
前記突起部として、第１突起部と、突出方向の荷重に対して前記第１突起部よりも潰れやすい第２突起部と、を含む請求項１２から１４のいずれか一項に記載のアイマスク。
【請求項１６】
前記第１突起部は、前記アイマスク本体部の横幅方向における中央寄りの位置に配置されており、
前記第２突起部は、前記アイマスク本体部の横幅方向における端部寄りの位置に配置されている請求項１４又は１５に記載のアイマスク。
【請求項１７】
目周りを覆うアイマスクのアイマスク本体部に貼り付けて用いられるアタッチメント式突起部ユニットであって、
基部と、
前記基部に設けられている複数の突起部と、
前記基部を前記アイマスク本体部に対して貼り付けるための貼付部と、
を備えるアタッチメント式突起部ユニット。
【発明の詳細な説明】
【技術分野】
【０００１】
本発明は、アイマスク、及び、アタッチメント式突起部ユニットに関する。
【背景技術】
【０００２】
目周りの指圧が可能な装置として、特許文献１には、ゴーグルフレームを構成するフロント部と、フロント部において顔側となる面に設けられた突起部と、を備える顔面指圧具が記載されている。
【先行技術文献】
【特許文献】
【０００３】
【特許文献１】特開２０１２−９０６６８号公報
【発明の概要】
【発明が解決しようとする課題】
【０００４】
しかしながら、特許文献１の技術では、突起部の装着性に関し、なお改善の余地がある。
【０００５】
本発明は、上記の課題に鑑みてなされたものであり、突起部の装着性が良好なアイマスク、及び、アタッチメント式突起部ユニットに関する。
【課題を解決するための手段】
【０００６】
本発明は、目周りを覆うアイマスク本体部と、
複数の突起部がユニット化されて構成され、前記アイマスク本体部に対して貼り付けられる突起部ユニットと、
を備えるアイマスクに関する。
【発明の効果】
【０００７】
本発明によれば、複数の突起部がユニット化されて構成された突起部ユニットをアイマスク本体部に対して貼り付けることができるため、アイマスク本体部に対する複数の突起部の装着が容易となる。すなわち、突起部の装着性が良好となる。
【図面の簡単な説明】
【０００８】
【図１】第１実施形態に係るアイマスクの分解斜視図である。
【図２】第１実施形態に係るアイマスクの斜視図である。
【図３】第１実施形態に係るアイマスクの平面図であり、着用時に顔側となる面を示す。
【図４】図３のＡ−Ａ線に沿った断面図である。
【図５】図５（ａ）及び図５（ｂ）は第１実施形態に係るアイマスクの突起部ユニットを示す図であり、このうち図５（ａ）は斜視図、図５（ｂ）は断面図である。
【図６】図６（ａ）、図６（ｂ）、図６（ｃ）及び図６（ｄ）の各々は、第１実施形態に係るアイマスクの突起部ユニットの変形例を示す平面図である。
【図７】第２実施形態に係るアイマスクのマスク本体及び一対の耳掛け部を示す斜視図である。
【図８】第３実施形態に係るアイマスクの突起部ユニットを構成する基部シートの平面図である。
【図９】図９（ａ）及び図９（ｂ）の各々は第３実施形態に係るアイマスクの突起部ユニットを構成する貼付ユニット部の平面図である。
【図１０】図１０（ａ）は第３実施形態に係るアイマスクの突起部ユニットの一構成例を示す平面図であり、図１０（ｂ）は第３実施形態に係るアイマスクの突起部ユニットの他の構成例を示す平面図である。
【図１１】図１０（ａ）のＡ−Ａ線に沿った断面図である。
【図１２】図１２（ａ）は第４実施形態に係るアイマスクの突起部ユニットを示す平面図であり、図１２（ｂ）及び図１２（ｃ）の各々は第４実施形態に係るアイマスクの突起部ユニットの変形例を示す平面図である。
【図１３】図１３（ａ）、図１３（ｂ）及び図１３（ｃ）の各々は突起部の形状の変形例１を示す図であり、このうち図１３（ａ）は斜視図、図１３（ｂ）は平面図、図１３（ｃ）は側面図である。
【図１４】図１４（ａ）、図１４（ｂ）及び図１４（ｃ）の各々は突起部の形状の変形例２を示す図であり、このうち図１４（ａ）は斜視図、図１４（ｂ）は平面図、図１４（ｃ）は側面図である。
【図１５】図１５（ａ）、図１５（ｂ）及び図１５（ｃ）の各々は突起部の形状の変形例３を示す図であり、このうち図１５（ａ）は斜視図、図１５（ｂ）は平面図、図１５（ｃ）は側面図である。
【図１６】図１６（ａ）、図１６（ｂ）及び図１６（ｃ）の各々は突起部の形状の変形例４を示す図であり、このうち図１６（ａ）は斜視図、図１６（ｂ）は平面図、図１６（ｃ）は側面図である。
【図１７】図１７（ａ）は第５実施形態及び第６実施形態を説明するためのアイマスクの平面図であり、図１７（ｂ）及び図１７（ｃ）は第５実施形態を説明するための突起部の側面図である。
【発明を実施するための形態】
【０００９】
以下、本発明の好ましい実施形態について、図面を用いて説明する。なお、すべての図面において、同様の構成要素には同一の符号を付し、重複する説明は適宜に省略する。
本実施形態に係るアイマスクの各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１０】
〔第１実施形態〕
先ず、図１から図５（ｂ）を用いて第１実施形態を説明する。
図５（ｂ）は図３のＡ−Ａ線及びその延長線に相当する位置での断面を示す。
【００１１】
図１に示すように、本実施形態に係るアイマスク１００は、目周りを覆うアイマスク本体部１０と、複数の突起部５２がユニット化されて構成されアイマスク本体部１０に対して貼り付けられる突起部ユニット５０と、を備える。
【００１２】
本実施形態に係るアイマスク１００によれば、使用者が好みに応じて突起部ユニット５０をアイマスク本体部１０に貼り付けて（図２の状態で）アイマスク１００を使用することができる。すなわち、突起部ユニット５０の使用の有無などを使用者が選択することができる。使用者がアイマスク１００を着用した状態で、例えば、アイマスク本体部１０を手で顔側に押し付けることで、突起部５２によって目周りのツボ押しを行うことができる。
ここで、複数の突起部５２がユニット化されて構成された突起部ユニット５０をアイマスク本体部１０に対して貼り付けることができるため、複数の突起部５２をまとめてアイマスク本体部１０に装着することができる。つまり、アイマスク本体部１０に対する複数の突起部５２の装着が容易となる（突起部５２の装着性が良好となる）。
【００１３】
図１に示すように、本実施形態に係るアイマスク１００は、アイマスク本体部１０及び突起部ユニット５０の他に、アイマスク本体部１０の横幅方向における両端部に対して各々の一端部が固定されていて耳に掛けられる一対の耳掛け部３０を備える。更に、本実施形態に係るアイマスク１００は、アイマスク本体部１０の内部に収容及び保持されている発熱体２０（図４）を備えている。
【００１４】
アイマスク本体部１０は、使用者が着用した状態において、使用者の両目を覆うものであり、例えば、図１等に示すように、左目を覆う左目覆い部１０ａと、右目を覆う右目覆い部１０ｂと、を有している。左目覆い部１０ａ及び右目覆い部１０ｂの平面形状は特に限定されないが、例えば、それぞれ角丸の略正方形状に形成されている（図３参照）。また、左目覆い部１０ａと右目覆い部１０ｂとは、互いにほぼ同一の形状及び寸法に形成されている。左目覆い部１０ａと右目覆い部１０ｂとは、図３において、左右に並んで配置されている。
アイマスク本体部１０は、横長の形状に形成されている。アイマスク本体部１０は、可撓性の（柔軟な）シート材により構成されている。
【００１５】
本実施形態の場合、横幅方向とは、図３に示すようにアイマスク本体部１０を平坦にした状態において、左目覆い部１０ａと右目覆い部１０ｂとの並び方向に一致する方向である。横幅方向は、一対の耳掛け部３０を展開してアイマスク１００の全体を平坦にした状態において、一方の耳掛け部３０から他方の耳掛け部３０に向かう方向とも一致している。すなわち、横幅方向は、図３における左右方向である。
また、本明細書において、上側及び下側とは、直立した使用者がアイマスク１００を着用した状態で上側及び下側となる方向を意味する。上側及び下側は、図３における上側及び下側である。
【００１６】
アイマスク本体部１０の横幅方向における中央部の上縁部には、アイマスク本体部１０の上縁から下方に延びる上側スリット１４が形成されている。アイマスク本体部１０の横幅方向における中央部の下縁部には、アイマスク本体部１０の下縁から上方に延びる下側スリット１５が形成されている。
上側スリット１４及び下側スリット１５は、左目覆い部１０ａと右目覆い部１０ｂとの境界位置に配置されている。下側スリット１５は、アイマスク１００の着用時に使用者の鼻と対応する位置に配置される。
本実施形態の場合、上側スリット１４の長さ寸法（上下寸法）よりも下側スリット１５の長さ寸法（上下寸法）の方が大きい。
【００１７】
図４に示すように、アイマスク本体部１０は、アイマスク１００の着用時に顔側に位置する第１シート１１と、着用時に顔とは反対側に位置する第２シート１２と、を備えて構成されている。第１シート１１及び第２シート１２の各々は、単層のシートにより構成されていてもよいし、複数のシートの積層体であってもよい。
アイマスク本体部１０を構成するシート材（第１シート１１、第２シート１２）の材料としては、例えば、不織布、織布、その他の編み物、ポリエチレンやウレタン等の樹脂フィルム、多孔質体、それらの任意の２種以上の組み合わせ等が挙げられる。
【００１８】
第１シート１１と第２シート１２とは、例えば、互いに同一の平面形状及び寸法に形成されているとともに、相互に重ね合わされ、且つ、接合部１３において相互に接合されている。第１シート１１と第２シート１２とは、粘着又は接着により接合されていてもよいし、ヒートシールにより接合されていてもよい。
上記の上側スリット１４は、第１シート１１及び第２シート１２の双方に形成されており、第１シート１１の上側スリット１４と第２シート１２の上側スリット１４とは、平面視において互いに重なっている。同様に、下側スリット１５は、第１シート１１及び第２シート１２の双方に形成されており、第１シート１１の下側スリット１５と第２シート１２の下側スリット１５とは、平面視において互いに重なっている。
接合部１３は、例えば、アイマスク本体部１０の（第１シート１１及び第２シート１２の）周縁部の全周と、アイマスク本体部１０の横幅方向における中央部の上端から下端に亘る範囲と、に配置されている。すなわち、接合部１３は、左目覆い部１０ａの周縁部と、右目覆い部１０ｂの周縁部と、に配置されている。
【００１９】
発熱体２０は、例えば、左目覆い部１０ａ及び右目覆い部１０ｂの各々に配置されている。
左目覆い部１０ａにおいて周縁部を除く領域、すなわち、左目覆い部１０ａの中央部においては、第１シート１１と第２シート１２とが相互に非接合となっており、当該領域において、第１シート１１と第２シート１２との間隙は、発熱体２０を収容する収容空間１８を構成している。
同様に、右目覆い部１０ｂにおいて周縁部を除く領域、すなわち、右目覆い部１０ｂの中央部においては、第１シート１１と第２シート１２とが相互に非接合となっており、当該領域において、第１シート１１と第２シート１２との間隙は、発熱体２０を収容する収容空間１８を構成している。
【００２０】
発熱体２０は、例えば図４に示すように、第１被覆シート２１と、第２被覆シート２２と、第１被覆シート２１と第２被覆シート２２との間に保持されているシート状の発熱部２３と、を備えて構成されている。発熱体２０の平面形状は、特に限定されないが、例えば、略正方形状に形成されている（図３参照）。
【００２１】
第１被覆シート２１と第２被覆シート２２とは、互いに同一の形状及び寸法に形成されている。第１被覆シート２１と第２被覆シート２２とは、それらの外形線が一致するように互いに重ね合わされており、且つ、それらの周縁部どうしが相互に接合されている。これにより、第１被覆シート２１と第２被覆シート２２とによって、発熱部２３を内部に収容する収容体が構成されている。第１被覆シート２１と第２被覆シート２２との接合は、粘着又は接着によりなされていてもよいし、ヒートシールによりなされていてもよい。
第１被覆シート２１と第２被覆シート２２とのうち、第１被覆シート２１は、第１シート１１側、すなわちアイマスク１００の着用時に顔側となる方に配置されており、第２被覆シート２２は、第２シート１２側、すなわち着用時に顔側とは反対側となる方に配置されている。
【００２２】
発熱部２３は、被酸化性金属を含んで構成されており、この被酸化性金属が酸素と接触することによる酸化反応で生じた熱を利用して、加熱された水蒸気を発生する部位である。発熱部２３は、被酸化性金属、反応促進剤、電解質及び水を含んでいる。
発熱部２３の平面形状は、例えば、略正方形状に形成されている。発熱部２３は、第１被覆シート２１と第２被覆シート２２とにより構成される収容体の内部、すなわち第１被覆シート２１と第２被覆シート２２との間隙に保持されている。
【００２３】
発熱体２０は、図４に示す接合部２４において、アイマスク本体部１０に対して接合されている。接合部２４は、例えば、発熱体２０の横幅方向における一部の領域に配置されている。より詳細には、接合部２４は、例えば、各発熱体２０において、アイマスク本体部１０の幅方向における中心側の端縁に配置されている。接合部２４は、各発熱体２０と第２シート１２の内面とを相互に接合している。
ただし、接合部２４は発熱体２０の全面に亘って配置されていても良い。また、発熱体２０は、第２シート１２の内面ではなく第１シート１１の内面に対して接合部２４において接合していても良いし、第１シート１１の内面と第２シート１２の内面との双方に対して接合部２４において接合していても良い。
また、第１シート１１の内面は、全面に亘って、発熱体２０又は第２シート１２に対して接合部２４又は接合部１３において接合していてもよい。同様に、第２シート１２の内面は、全面に亘って、発熱体２０又は第１シート１１に対して接合部２４又は接合部１３において接合していてもよい。つまり、発熱体２０の片面又は両面が、全面に亘って、第１シート１１又は第２シート１２に対して接合されていても良い。
【００２４】
ここで、第１被覆シート２１と第２被覆シート２２とのうちの少なくとも一方は通気性を有する材料により構成されている。本実施形態の場合、第１被覆シート２１は第２被覆シート２２と比べてより通気性が高い。なお、第２被覆シート２２は通気性を有していてもよいし、通気性を実質的に有していなくてもよい。
また、第１被覆シート２１は透湿性シートである。一方、第２被覆シート２２は、透湿性シートであるか、又は非透湿性シートである。第２被覆シート２２が透湿性シートである場合、該第２被覆シート２２の通気性は、第１被覆シート２１の通気性と同じか、第１被覆シート２１の通気性よりも低くなっているか、第１被覆シート２１の通気性よりも高くなっている。
【００２５】
また、第１シート１１は通気性及び透湿性を有する材料により構成されている。第２シート１２は、通気性を有していなくてもよいし、通気性を実質的に有していなくてもよい。また、第２シート１２は透湿性を有していてもよいし、透湿性を実質的に有していなくてもよい。
【００２６】
このように、アイマスク本体部１０は、シート状の基材（第１シート１１及び第２シート１２）と、基材に設けられた発熱体２０と、を備えて構成されている。
【００２７】
一対の耳掛け部３０の各々は、可撓性の（柔軟な）シート材である耳掛け部構成シート３１により構成されている。耳掛け部構成シート３１は、単層のシートにより構成されていてもよいし、複数のシートの積層体であってもよい。耳掛け部構成シート３１としては、不織布等の繊維材料からなる繊維シートを用いることができる。
【００２８】
一対の耳掛け部３０の各々の一端部が、固定部３３においてアイマスク本体部１０の横幅方向における両端部に対してそれぞれ固定されている。すなわち、一方の耳掛け部３０の一端部が、固定部３３において左目覆い部１０ａの左端部に対して固定されている。同様に、他方の耳掛け部３０の一端部が、固定部３３において右目覆い部１０ｂの右端部に対して固定されている。より詳細には、例えば、図４に示すように、耳掛け部３０は、第１シート１１において顔側となる面に対して固定部３３にて接合により固定されている。アイマスク本体部１０に対する耳掛け部３０の固定は、ヒートシールによってなされていてもよいし、粘着又は接着によりなされていてもよい。固定部３３の平面形状は特に限定されない。固定部３３は、例えば、上下に長尺に形成されている（上下に延在している）。
【００２９】
なお、以下の説明では、耳掛け部３０において、アイマスク本体部１０側（左目覆い部１０ａ側又は右目覆い部１０ｂ側）を基端（基端側）、アイマスク本体部１０から遠い側を先端（先端側）と称する場合がある。つまり、耳掛け部３０における基端側の部位がアイマスク本体部１０に対して固定部３３にて固定されている。
【００３０】
耳掛け部３０の平面形状は特に限定されないが、例えば、左目覆い部１０ａ及び右目覆い部１０ｂと同様の形状に形成されている。
例えば、アイマスク１００が折り畳まれた状態（展開される前の状態）（不図示）において、左目覆い部１０ａ及び右目覆い部１０ｂのそれぞれに対して、一方ずつの耳掛け部３０が重なる。この状態では、左目覆い部１０ａの外形線と、当該左目覆い部１０ａに重なっている耳掛け部３０の外形線と、が平面視において相互に一致し、且つ、右目覆い部１０ｂの外形線と、当該右目覆い部１０ｂに重なっている耳掛け部３０の外形線と、が平面視において相互に一致するようになっている。
【００３１】
一対の耳掛け部３０の各々は、当該耳掛け部３０を耳に掛けるための耳掛け用開口３２を有している。本実施形態の場合、耳掛け用開口３２は、耳掛け部３０の表裏を貫通している貫通孔である。ただし、本発明は、この例に限らず、耳掛け用開口３２は、耳掛け部３０に形成されたスリットであってもよい。耳掛け用開口３２の形状は特に限定されないが、例えば、耳掛け用開口３２は横幅方向に長尺に形成されている。
【００３２】
一対の耳掛け部３０の各々は、耳掛け用開口３２と連続する第１耳掛け用スリット３４及び第２耳掛け用スリット３５を有している。このうち第１耳掛け用スリット３４は、耳掛け用開口３２の下縁から下方に延びている。第２耳掛け用スリット３５は、耳掛け用開口３２の先端縁から先端側に延びている。例えば、第２耳掛け用スリット３５よりも第１耳掛け用スリット３４の方が長い。
【００３３】
なお、アイマスク１００は、使用前の状態では、軟質包装材により構成された包装袋（不図示）に封入されている。使用時に包装袋からアイマスク１００が取り出されることによって、発熱体２０の発熱部２３が空気中の酸素と接触し、該発熱部２３が発熱するとともに水蒸気（蒸気温熱）を発生し、この水蒸気が第１被覆シート２１及び第１シート１１を介して外部に放出されるようになっている。
よって、使用者がアイマスク１００を着用することによって、この水蒸気が使用者の顔面に供給されるようになっている。これにより、蒸しタオルで使用者の顔面を温めるような具合になる。
このように、本実施形態に係るアイマスク１００は、蒸気温熱具である。
【００３４】
また、本実施形態に係るアイマスク１００は、複数の突起部５２を有しており、発熱体２０により顔面（目周り）を加温しながら、これら突起部５２によるツボ押しが可能となっている。よって、発熱体２０による温熱作用（本実施形態の場合、蒸気温熱作用）とツボ押しとの相乗効果が得られる。
【００３５】
なお、アイマスク１００における突起部ユニット５０を除く部分（アイマスク本体部１０及び一対の耳掛け部３０）の構造は、上記の例に限らず、その他の一般的な蒸気温熱具の構造を適用することができる。
【００３６】
次に、突起部ユニット５０について詳細に説明する。
【００３７】
図５（ａ）及び図５（ｂ）に示すように、突起部ユニット５０は、基部５１と、基部５１に設けられている複数の突起部５２と、基部５１をアイマスク本体部１０に対して貼り付けるための貼付部５３（図５（ｂ））と、を備える。基部５１は、例えば、平坦に形成されている。
突起部ユニット５０が突起部５２だけでなく基部５１を備えるため、突起部５２がアイマスク本体部１０に沈み込むことを抑制できるとともに、アイマスク本体部１０に対する突起部５２の姿勢を安定させることができる。よって、突起部５２によってより十分な強さで安定的にツボ押しを行うことができる。
【００３８】
本実施形態の場合、図１及び図２に示すように、突起部ユニット５０は、それぞれ左右の目と対応する位置に配置される左右一対の開口５４を有する。すなわち、基部５１には、左右一対の開口５４が形成されている。基部５１は、例えば、横倒しの８の字のような形状に形成されている。図２に示すように、基部５１は、左目覆い部１０ａの周縁部及び右目覆い部１０ｂの周縁部に沿う形状に形成されており、左目覆い部１０ａの周縁部及び右目覆い部１０ｂの周縁部に沿って設けられる。
【００３９】
使用者がアイマスク１００を着用した状態で、使用者の顔の前方からアイマスク１００を視たときに、開口５４の内側に眼球が収まるように、開口５４の寸法、形状及び配置が設定されている。
このため、発熱体２０が発生する熱及び蒸気を、発熱体２０の第１被覆シート２１、アイマスク本体部１０の第１シート１１及び突起部ユニット５０の開口５４を介して、使用者の目周りに供給することができる。
図３に示すように、各開口５４のほぼ全域と対応する領域に、各発熱体２０が配置されている。各発熱体２０は、各開口５４よりも狭い領域に配置されていてもよいし、各開口５４と同じ領域に配置されていてもよいし、各開口５４よりも広い領域に配置されていてもよい。
【００４０】
貼付部５３は、基部５１の裏面、すなわち基部５１からの突起部５２の突出方向とは反対側の面に形成されている。貼付部５３は、基部５１の裏面の全域に形成されていても良いし、貼付部５３の裏面の一部領域（例えば、点在する複数箇所）に形成されていても良い。
貼付部５３は、例えば、粘着剤により構成された粘着層である。ただし、貼付部５３は、不織布に対して貼り付け可能な面ファスナーであってもよい。
【００４１】
突起部ユニット５０の横幅方向における中央部の上縁部には、突起部ユニット５０の上縁から下方に延びる上側スリット５５が形成されている。突起部ユニット５０の横幅方向における中央部の下縁部には、アイマスク本体部１０の下縁から上方に延びる切欠形状部５６が形成されている。
上側スリット５５及び切欠形状部５６は、左目覆い部１０ａと右目覆い部１０ｂとの境界位置に配置されている。
本実施形態の場合、上側スリット５５の上下寸法よりも切欠形状部５６の上下寸法の方が大きい。
図２及び図３に示すように突起部ユニット５０をアイマスク本体部１０に貼り付けた状態において、図３に示すように、アイマスク本体部１０の上側スリット１４と突起部ユニット５０の上側スリット５５とが互いに重なるようになっている。更に、この状態で、アイマスク本体部１０の下側スリット１５が突起部ユニット５０の切欠形状部５６の横幅方向における中央に位置するようになっている。
【００４２】
ここで、切欠形状部５６は、下側スリット１５よりも広い。そして、図２に示すように、突起部ユニット５０をアイマスク本体部１０に貼り付けた状態で、使用者の顔側となる方からアイマスク１００を視たときに、切欠形状部５６内に、左目覆い部１０ａの下縁部の右端部と右目覆い部１０ｂの下縁部の左端部とが位置するようになっている。
このため、アイマスク１００の着用時には、アイマスク本体部１０を構成する第１シート１１及び第２シート１２が切欠形状部５６を介して使用者の鼻に接触し、第１シート１１及び第２シート１２の弾性力が、基部５１を鼻から遠ざける方向に作用する。よって、鼻に対する基部５１の当りをソフトにしたり、或いは、鼻に対する基部５１の接触を抑制したりすることができる。
【００４３】
基部５１において、左目覆い部１０ａの周縁部に沿って設けられる部位には、複数（一例として７つ）の突起部５２がＬ字状に並んで配置されている。同様に、基部５１において、右目覆い部１０ｂの周縁部に沿って設けられる部位には、複数の突起部５２がＬ字状に並んで配置されている。このように、本実施形態の場合、複数の突起部５２が、Ｌ字状に並んで配置されている。
【００４４】
より詳細には、突起部ユニット５０の複数の突起部５２には、左目覆い部１０ａに設けられた発熱体２０の上縁２０ａに沿って左右に並んで配置される複数（一例として４つ）の突起部５２と、当該発熱体２０の側縁２０ｃに沿って上下に並んで配置される複数（一例として３つ）の突起部５２と、が含まれている。ここで、側縁２０ｃは、発熱体２０の左右一対の側縁のうち、アイマスク本体部１０の横幅方向における端部側に位置する側縁である。
更に、突起部ユニット５０の複数の突起部５２には、右目覆い部１０ｂに設けられた発熱体２０の上縁に沿って左右に並んで配置される複数（一例として４つ）の突起部５２と、当該発熱体２０の側縁（アイマスク本体部１０の横幅方向における端部側に位置する側縁）に沿って上下に並んで配置される複数（一例として３つ）の突起部５２と、が含まれている。
【００４５】
突起部ユニット５０がアイマスク本体部１０に貼り付けられた状態では、発熱体２０の上縁に沿って左右に並ぶ複数の突起部５２によって、目周りのツボのうち目の上方のツボを好適に押圧することができる。また、発熱体２０の側縁（アイマスク本体部１０の横幅方向における端部側に位置する側縁）に沿って上下に並ぶ複数の突起部５２によって、目周りのツボのうち目の側方のツボ（こめかみのツボなど）を好適に押圧することができる。
【００４６】
このように、複数の突起部５２には、第１方向（例えば左右）に並ぶ２つ以上の突起部５２と、第１方向に対して交差（例えば直交）する方向（例えば上下）に並ぶ２つ以上の突起部５２と、が含まれている。
より詳細には、複数の突起部５２は、発熱体２０の角部を挟む２辺（例えば上縁と側縁）に沿って並ぶ。
【００４７】
本実施形態の場合、互いに隣り合う突起部５２どうしの間に基部５１の一部分が配置されている。このため、個々の突起部５２によって十分に皮膚を押圧してツボ押しすることができる。
【００４８】
なお、本実施形態の場合、突起部ユニット５０がアイマスク本体部１０に貼り付けられた状態において、発熱体２０の下縁２０ｂに沿う位置には突起部５２が配置されず、また、発熱体２０の左右一対の側縁のうち、アイマスク本体部１０の横幅方向における中央側に位置する側縁２０ｄに沿う位置にも、突起部５２が配置されないようになっている。すなわち、複数の突起部５２は、発熱体２０の下縁２０ｂを避けて配置される。
【００４９】
図４に示すように、突起部５２の突出方向における突起部ユニット５０の寸法（図４に示す高さ寸法Ｔ１）が、発熱体２０の配置領域におけるアイマスク本体部１０の厚み寸法（図４に示す厚み寸法Ｄ）よりも大きい。このような構成により、突起部５２によるツボ押しがより容易になる。
より好ましくは、突起部５２の突出方向における突起部５２の寸法（図４に示す高さ寸法Ｔ２）が、発熱体２０の配置領域におけるアイマスク本体部１０の厚み寸法（図４に示す厚み寸法Ｄ）よりも大きい。このような構成により、突起部５２によるツボ押しがより一層容易になる。
【００５０】
本実施形態の場合、突起部５２は、第１段部５２ａと、第１段部５２ａよりも当該突起部５２の突出方向先端側に配置されていて当該突起部５２の突出方向に当該突起部５２を視たときの寸法が第１段部５２ａよりも小さい第２段部５２ｂと、を含む複数段構造である。
より詳細には、本実施形態の場合、突起部５２は、第１段部５２ａと第２段部５２ｂとの２段構造である。ただし、本発明は、この例に限らず、突起部５２は３段構造以上の段構造に形成されていてもよいし、１段構造であってもよい。
突起部５２が複数段構造となっていることにより、例えば、一部の段（例えば第１段部５２ａ）が押し潰された状態で、突起部５２（主として第２段部５２ｂ）により心地よいツボ押しを行うことができる。また、突起部５２の突出方向に当該突起部５２を視たときに、第２段部５２ｂの寸法が第１段部５２ａよりも小さいため、第２段部５２ｂにより局部的に皮膚を押圧することができるため、より心地よいツボ押しが可能である。
【００５１】
より詳細には、第１段部５２ａは、例えば、半球状（ドーム状）の形状である。また、第２段部５２ｂは、例えば、円錐状の形状である。ただし、第２段部５２ｂの頂部は丸みを帯びている。また、第１段部５２ａと第２段部５２ｂとは互いに同心に配置されている。
本実施形態の場合、突起部５２（第１段部５２ａ及び第２段部５２ｂ）の内部は、空洞になっている。
ただし、第１段部５２ａ及び第２段部５２ｂの形状は、この例に限らない。
【００５２】
突起部５２の高さ寸法Ｔ２、すなわち突起部５２の突出方向における突起部５２の寸法は、特に限定されないが、例えば、２ｍｍ以上１０ｍｍ以下であることが好ましく、３ｍｍ以上８ｍｍ以下であることがより好ましい。突起部５２の高さ寸法Ｔ２が２ｍｍ以上１０ｍｍ以下であることにより、突起部５２によってツボ押しを十分に且つ適度に行うことができる。
突起部５２の直径は、特に限定されないが、例えば、２ｍｍ以上２０ｍｍ以下であることが好ましく、３ｍｍ以上１５ｍｍ以下であることがより好ましい。突起部５２の直径が２ｍｍ以上２０ｍｍ以下であることにより、突起部５２によってツボ押しを十分に且つ適度に行うことができる。
第１段部５２ａの高さ寸法は、特に限定されないが、例えば、２ｍｍ以上１０ｍｍ以下であることが好ましく、３ｍｍ以上８ｍｍ以下であることがより好ましい。
第２段部５２ｂの高さ寸法は、特に限定されないが、例えば、１ｍｍ以上５ｍｍ以下であることが好ましく、３ｍｍ以下であることがより好ましい。
第２段部５２ｂの直径は、特に限定されないが、例えば、１ｍｍ以上５ｍｍ以下であることが好ましく、３ｍｍ以下であることがより好ましい。
隣り合う突起部５２間の距離は、突起部５２の直径未満であることが好ましく、突起部５２の直径の１／２以下であることが更に好ましい。隣り合う突起部５２の中心間距離は、突起部５２の２倍未満であることが好ましく、突起部の直径の１．５倍以下であることが更に好ましい。
【００５３】
ここで、突起部ユニット５０は、本実施形態に係るアタッチメント式突起部ユニットである。
すなわち、本実施形態に係るアタッチメント式突起部ユニットは、目周りを覆うアイマスク１００のアイマスク本体部１０に貼り付けて用いられるアタッチメント式突起部ユニットであって、基部５１と、基部５１に設けられている複数の突起部５２と、基部５１をアイマスク本体部１０に対して貼り付けるための貼付部５３と、を備える。
【００５４】
本実施形態の場合、突起部ユニット５０は、１枚のシート５０ａにより構成されている。すなわち、シート５０ａは、基部５１を構成する平坦部と、基部５１を基準として一方の側に凸に湾曲している複数の凸部とを備えており、各凸部が突起部５２を構成している。
なお、シート５０ａにおいて、突起部５２を構成する部分の厚みと、基部５１を構成する部分の厚みとは、互いに同等の厚みに設定されている。ただし、後述するように、シート５０ａはプレス成形により作製することができる。よって、シート５０ａの材料となるシートの伸びが、基部５１における伸びよりも、突起部５２における伸びの方が大きいことが想定される。このため、シート５０ａにおいて、突起部５２を構成する部分の厚みは、基部５１を構成する部分の厚みよりも若干薄いことが考えられる。
【００５５】
本実施形態の場合、シート５０ａは、例えば、１層の不織布シートにより構成されている。
この不織布シートの材料としては、合成繊維、天然繊維又はこれらの複合繊維が挙げられる。不織布シートの製法としては、スパンボンド法、ニードルパンチ法、スパンレース法、メルトブロー法、フラッシュ紡糸法、エアレイド法、エアースルー法等が挙げられる。
【００５６】
不織布シートは、例えば、第１樹脂材料により構成されている繊維と、第２樹脂材料により構成されていて繊維どうしを結着している結着部と、を含んで構成されている。
この不織布シートを構成する第１樹脂材料は、特に限定されないが、例えば、ポリエチレン、ポリプロピレン、ナイロン、レーヨン、ポリスチレン、アクリル、ビニロン、セルロース、アラミド、ポリビニルアルコール、ポリエチレンナフタレート又はポリエチレンテレフタレートであることが挙げられ、なかでもポリエチレンテレフタレート（ＰＥＴ）であることが好ましい。
不織布シートを構成する第２樹脂材料は、特に限定されないが、不織布シートを構成する第１樹脂材料よりも低融点の材料であることが好ましい。不織布シートを構成する第２樹脂材料は、例えば、ポリエチレン、ポリプロピレン、エチレン酢酸ビニル樹脂、又は低融点ＰＥＴ（共重合ポリエステル）であることが挙げられ、なかでもポリエチレン、又は、低融点のＰＥＴであることが好ましい。
なお、不織布シートを構成する繊維は、第１樹脂材料により構成された芯と、第２樹脂材料により構成された鞘と、を含む芯鞘構造となっていてもよい。
【００５７】
不織布シートにおける第１樹脂材料の含有量は、不織布シートにおける第２樹脂材料の含有量よりも多い。
好ましくは、不織布シートにおける第１樹脂材料の含有量は、６０質量％以上９５質量％以下である。また、不織布シートにおける第２樹脂材料の含有量は、５質量％以上４０質量％以下である。
不織布シートにおける第１樹脂材料及び第２樹脂材料の含有量をこのように設定することにより、不織布シートの通気性を十分に確保しつつも、不織布シートの剛性を十分に確保することができる。
【００５８】
不織布シートの坪量は、１５ｇ／ｍ２以上５００ｇ／ｍ２以下、特に３０ｇ／ｍ２以上３５０ｇ／ｍ２以下であることが好ましい。不織布シートの坪量が１５ｇ／ｍ２以上であることにより、シート５０ａの十分な強度を確保できる。不織布シートの坪量が５００ｇ／ｍ２以下であることにより、シート５０ａのより良好な通気性が得られ、突起部ユニット５０の基部５１や突起部５２を介して容易に蒸気を顔側に放出させることが可能となる。
【００５９】
シート５０ａにおいて基部５１を構成する平坦部の厚みは、０．０３ｍｍ以上２．６ｍｍ以下、特に０．０８ｍｍ以上１．２５ｍｍ以下であることが好ましい。平坦部の厚みが０．０３ｍｍ以上であることにより、シート５０ａの形態保持性が良好となる。平坦部の厚みが２．６ｍｍ以下であることにより、シート５０ａのより良好な通気性が得られ、突起部ユニット５０の基部５１や突起部５２を介して容易に蒸気を顔側に放出させることが可能となる。
【００６０】
次に、突起部ユニット５０を製造する方法の一例について説明する。
突起部ユニット５０の製造方法は、例えば、全体が平坦な不織布シートをプレスすることにより当該不織布シートを基部５１と突起部５２とを有する形態に加工する工程を備えている。
【００６１】
ここで、プレスが行われる前の不織布シートは、例えば、第１樹脂材料により構成されている第１繊維と、第２樹脂材料により構成されていて第２繊維と、を含んで構成されている（第１繊維と第２繊維との混綿の場合）。ただし、不織布シートを構成する繊維は、第１樹脂材料により構成された芯と、第２樹脂材料により構成された鞘と、を含む芯鞘構造となっていてもよい。
【００６２】
不織布シートに対して熱プレスを行うことによって、不織布シートを基部５１と突起部５２とを有する形態に加工する。
ここで、熱プレスの温度は、第１樹脂材料の融点と第２樹脂材料の融点との中間の温度に設定する。すなわち、熱プレスの温度は、第１樹脂材料の融点未満の温度であって、且つ、第２樹脂材料の融点以上の温度とする。
これにより、第２樹脂材料が溶融する一方で、第１樹脂材料は溶融しないようにできるため、溶融した第２樹脂材料を介して、第１樹脂材料により構成された繊維（当該繊維は、芯鞘構造の芯の部分であってもよい）どうしが結着される。すなわち、溶融した第２樹脂材料が、第１樹脂材料により構成された繊維どうしを結着する結着部を構成する。
その結果、シート５０ａの通気性を確保しつつも、シート５０ａの剛性を十分に確保することができる。すなわち、基部５１の通気性及び剛性を十分に確保することができるとともに、突起部５２についても、当該突起部５２の基端から先端に亘り、通気性を確保しつつも、全体を十分な剛性にすることができる。
ここで、熱プレスの温度は、第２樹脂材料が十分に溶融できる範囲内で、なるべく低温（例えば、第２樹脂材料の融点＋３０℃以下の温度、好ましくは第２樹脂材料の融点＋２０℃以下の温度）に設定することが好ましい。このようにすることによって、熱プレス後のシート５０ａが不織布の風合いを有するようにできて、突起部ユニット５０の肌触りが良好になる。
【００６３】
次に、必要により不織布シートを裁断することにより、シート５０ａを所望の平面形状に加工する。
次に、シート５０ａの基部５１の裏面に、粘着剤などにより貼付部５３を形成する。
こうして、突起部ユニット５０を製造することができる。
【００６４】
上記においては、シート５０ａが１層の不織布シートにより構成されている例を説明したが、本発明は、この例に限らず、シート５０ａは複数層構造となっていてもよい。
例えば、シート５０ａは、当該シート５０ａにおける一方の最外層を構成する第１不織布シートと、当該シート５０ａにおける他方の最外層を構成する第２不織布シートと、第１不織布シートと第２不織布シートとの間に位置する中間層を構成する通気シートと、を含んで構成されていてもよい。
【００６５】
第１不織布シート及び第２不織布シートの各々は、上記の不織布シートと同様のものである。
【００６６】
通気シートは、第２樹脂材料よりも高融点の第３樹脂材料を含んで構成されている。
通気シートの通気性は、特に限定されないが、例えば、通気シートの透湿度が１００ｇ／（ｍ２・２４ｈ）以上１３０００ｇ／（ｍ２・２４ｈ）以下、特に２００ｇ／（ｍ２・２４ｈ）以上８０００ｇ／（ｍ２・２４ｈ）以下であることが好ましい。
通気シートの透湿度の測定は、例えば、ＪＩＳ（Ｚ０２０８）  ＣａＣｌ２法で行うことができ、測定条件は、４０℃、９０％ＲＨとすることができる。
通気シートは、その全面に亘り通気性を有していてもよく、部分的に通気性を有していてもよい。
通気シートは、坪量が１０ｇ／ｍ２以上２００ｇ／ｍ２以下、特に２０ｇ／ｍ２以上１００ｇ／ｍ２以下であることが好ましい。
【００６７】
通気シートとしては、ポリエチレン、ポリプロピレン等のポリオレフィンやポリエステル、ポリアミド、ポリウレタン、ポリスチレン、ポリエチレン−酢酸ビニル共重合体等の樹脂により構成されたシートに機械的に通気孔を形成したもの、これら樹脂と無機フィラーとの混合シートを延伸により界面剥離させ微細な通気孔を設けたもの、また、その結晶構造の界面剥離を利用し、微細な通気孔を形成したもの、発泡成形による連続気泡を利用し微細な通気孔を連通させたものなどが挙げられる。また、通気シートとしては、ポリオレフィン等の合成パルプ、木材パルプ、レーヨン、アセテート等の半合成繊維、ビニロン繊維、ポリエステル繊維等から形成された不織布、織布、合成紙、紙等も挙げられる。通気シートは、複数枚を重ねて用いることもできる。
通気シートとしては、ポリプロピレンと炭酸カルシウムとの混合シートを延伸により界面剥離させることで、該混合シートに微細な通気孔を形成したものを好適に用いることができる。
より詳細には、通気シートとしては、例えば、ポリプロピレンと炭酸カルシウムとの混合シートを延伸することにより構成されたものを用いることができる。
【００６８】
シート５０ａが第１不織布シート、第２不織布シート及び通気シートの３層構造である場合は、第１不織布シート、第２不織布シート及び通気シートをこの順に積層した状態で熱プレスを行うことにより、突起部５２を形成する。
シート５０ａが第１不織布シート、第２不織布シート及び通気シートの３層構造である場合も、熱プレスの温度は、第１樹脂材料の融点と第２樹脂材料の融点との中間の温度に設定する。また、熱プレスの温度は、第２樹脂材料が十分に溶融できる範囲内で、なるべく低温（例えば、第２樹脂材料の融点＋３０℃以下の温度、好ましくは第２樹脂材料の融点＋１０℃以下の温度）に設定することが好ましい。
更に、シート５０ａが第１不織布シート、第２不織布シート及び通気シートの３層構造である場合の熱プレスの温度は、通気シートが含む第３樹脂材料の融点よりも低い温度であって、通気シートの延伸温度よりも低い温度に設定することが好ましい。これにより、熱プレス後においても通気シートの通気孔を維持させ、該通気シートの通気性を確保することができる。
【００６９】
アイマスク本体部１０と突起部ユニット５０とが同梱されていることが好ましい。すなわち、例えば、店舗でのアイマスク１００の販売時や、その他の流通時や、保管時において、アイマスク本体部１０と突起部ユニット５０とが同梱された状態となっている。一例として、アイマスク本体部１０と突起部ユニット５０とは、共通の包装箱に収容されている。なお、アイマスク本体部１０と突起部ユニット５０とは、共通の包装袋に収容されていても良いし、別個の包装袋に収容されていてもよい。
【００７０】
次に、アイマスク１００を使用する方法の例を説明する。
【００７１】
先ず、突起部ユニット５０をアイマスク本体部１０に貼り付ける。すなわち、貼付部５３を介して基部５１を第１シート１１に貼り付ける。
なお、図３に示すように、本実施形態の場合、突起部ユニット５０の上縁及び下縁が、アイマスク本体部１０の上縁及び下縁に沿った形状となっている。このため、突起部ユニット５０をアイマスク本体部１０に対して容易に位置合わせして、突起部ユニット５０をアイマスク本体部１０に貼り付けることができる。
突起部ユニット５０がアイマスク本体部１０に貼り付けられることにより、複数の突起部５２が発熱体２０の周縁に沿って並んで配置された状態となる。
【００７２】
アイマスク１００の着用時には、アイマスク本体部１０の第１シート１１を顔側にして、つまり突起部ユニット５０の突起部５２を顔側にして、左目覆い部１０ａ及び右目覆い部１０ｂをそれぞれ左右の目周りにあてがい、一対の耳掛け部３０をそれぞれ左右の耳に引っ掛ける。
【００７３】
ここで、このように使用者がアイマスク１００を着用した状態で、複数の突起部５２のうちの少なくとも１つが使用者の目周りのツボを押せる位置に配置されるように、アイマスク１００は構成されている。すなわち、複数の突起部５２のうちの少なくとも１つが、目の周囲近傍に配置される。
より詳細には、発熱体２０の上縁２０ａに沿って並ぶ複数の突起部５２のうちの少なくとも１つが、目の上方のツボを押せる位置に配置される。また、発熱体２０の側縁２０ｃに沿って並ぶ複数の突起部５２のうちの少なくとも１つが、目の側方のツボ（こめかみのツボなど）を押せる位置に配置される。
本実施形態の場合、発熱体２０の上縁２０ａに沿って並ぶ複数の突起部５２が目の上方のツボを押せる位置に配置され、発熱体２０の側縁２０ｃに沿って並ぶ複数の突起部５２が目の側方のツボを押せる位置に配置される。
【００７４】
使用者がアイマスク１００を着用した状態で、アイマスク本体部１０を手で顔側に押し付けることで、突起部５２によって目周りのツボ押しを行うことができる。
また、発熱体２０の周縁に沿った配置された突起部５２によってツボ押しを行うことによって、発熱体２０による温熱作用（本実施形態の場合、蒸気温熱作用）とツボ押しとの相乗効果を一層高めることができる。
【００７５】
ここで、一対の耳掛け部３０及びアイマスク本体部１０がそれぞれ柔軟な不織布シートにより構成されているため、突起部５２の位置の微調整を容易に行うことができる。よって、使用者は、突起部５２の位置を、突起部５２が心地よく感じる位置に調整して、突起部５２によるツボ押しを行うことができる。
【００７６】
以上のような第１実施形態に係るアイマスク１００によれば、使用者が好みに応じて突起部ユニット５０をアイマスク本体部１０に貼り付けて（図２の状態で）アイマスク１００を使用することができる。すなわち、突起部ユニット５０の使用の有無などを使用者が選択することができる。なお、突起部ユニット５０の形状によっては、アイマスク本体部１０に対する突起部ユニット５０の貼り付け位置を使用者が好みに合わせて調節することもできる。
ここで、複数の突起部５２がユニット化されて構成された突起部ユニット５０をアイマスク本体部１０に対して貼り付けることができるため、複数の突起部５２をまとめてアイマスク本体部１０に装着することができる。つまり、アイマスク本体部１０に対する複数の突起部５２の装着が容易となる（突起部５２の装着性が良好となる）。
また、アイマスク１００の製造者は、突起部ユニット５０をアイマスク本体部１０に貼り付ける工程を省略することができる。
【００７７】
なお、上記の第１実施形態では、発熱体２０は、蒸気を放出しない発熱性のものであってもよい。したがって、アイマスク１００は、蒸気温熱具ではなく、単なる温熱具であってもよい。
また、上記の第１実施形態では、アイマスク１００が発熱体２０を備える例を説明したが、アイマスク１００は発熱体２０を備えていなくてもよい。したがって、アイマスク１００は、温熱具ではなく、単なるアイマスクであってもよい。
【００７８】
また、上記の第１実施形態では、突起部ユニット５０を構成するシート５０ａが不織布シートにより構成されている例を説明したが、シート５０ａは、樹脂シート又はゴムシートであってもよい。また、上記の第１実施形態では、シート５０ａが通気性及び透湿性を有する例を説明したが、シート５０ａは通気性と透湿性との一方又は両方を有していなくてもよい（非通気性又は非透湿性を有していてもよい）。
【００７９】
また、上記の第１実施形態では、突起部５２の内部が空洞である例を説明したが、突起部５２の内部が空洞でなくてもよい（突起部５２が中実構造となっていてもよい）。
【００８０】
また、上記の第１実施形態では、アイマスク１００が一対の耳掛け部３０を用いて使用者が着用するタイプである例を説明した。ただし、本発明は、この例に限らず、アイマスク１００は、バンド（不図示）を用いて頭部に装着して用いるタイプであってもよい。また、アイマスク１００は、使用者が仰向けで寝た状態で目周りにアイマスク本体部１０を載せて更に当該アイマスク本体部１０の上にアイピローなどのおもりを載せて使用するタイプであってもよい。
【００８１】
また、上記の第１実施形態では、当初は突起部ユニット５０がアイマスク本体部１０に貼り付けられておらず、使用者が突起部ユニット５０をアイマスク本体部１０に貼り付けてアイマスク１００を着用する例を説明した。ただし、本発明は、この例に限らず、突起部ユニット５０が予めアイマスク本体部１０に貼り付けられていてもよい。
【００８２】
また、上記の第１実施形態では、突起部５２が発熱体２０とは重ならないように配置される例を説明したが、突起部５２が発熱体２０の周縁部と重ねて配置されても良い。このようにすることによって、発熱体２０による温熱作用（本実施形態の場合、蒸気温熱作用）とツボ押しとの相乗効果が更に高まることが期待できる。
【００８３】
＜第１実施形態に係るアイマスクの突起部ユニットの変形例＞
次に、図６（ａ）から図６（ｄ）を用いて突起部ユニット５０の変形例を説明する。上述した第１実施形態に係る突起部ユニット５０の代わりに（又は、上述した第１実施形態に係る突起部ユニット５０に加えて）、以下に説明する各変形例の突起部ユニット５０をアイマスク本体部１０に貼り付けて用いることができる。なお、図６（ａ）から図６（ｄ）の各々においては突起部５２の形状を単なる円で示しているが、突起部５２の形状は第１実施形態と同様であってもよい。
【００８４】
＜第１実施形態に係るアイマスクの突起部ユニットの変形例１＞
図６（ａ）に示すように、本変形例の場合、突起部ユニット５０が備える複数の突起部５２がＩ字状に並んで配置されている。すなわち、複数の突起部５２が一直線上に並んで配置されている。
【００８５】
＜第１実施形態に係るアイマスクの突起部ユニットの変形例２＞
図６（ｂ）に示すように、本変形例の場合、突起部ユニット５０が備える複数の突起部５２がＴ字状に並んで配置されている。すなわち、突起部ユニット５０が備える複数の突起部５２が備える複数の突起部５２には、第１方向に並ぶ複数の突起部５２と、第１方向に対して交差（例えば直交）する方向に並ぶ複数の突起部５２と、が含まれている。
【００８６】
＜第１実施形態に係るアイマスクの突起部ユニットの変形例３＞
図６（ｃ）に示すように、本変形例の場合、突起部ユニット５０が備える複数の突起部５２が十字状に並んで配置されている。すなわち、突起部ユニット５０が備える複数の突起部５２が備える複数の突起部５２には、第１方向に並ぶ複数の突起部５２と、第１方向に対して交差（例えば直交）する方向に並ぶ複数の突起部５２と、が含まれている。
【００８７】
＜第１実施形態に係るアイマスクの突起部ユニットの変形例４＞
図６（ｄ）に示すように、本変形例の場合、突起部ユニット５０が備える複数の突起部５２が弧状に並んで配置されている。本変形例の場合、突起部ユニット５０の複数の突起部５２を、眉の上縁に沿って配置（又は眉に沿って配置）したり、又は、目の下縁に沿って頬骨の上縁に配置（又は下瞼に配置）したりすることができ、目周りのツボのうち目の上方又は下方のツボを突起部５２によって好適に押圧することが可能となる。
突起部ユニット５０は、複数の突起部５２には発熱体２０の上縁２０ａ（図３）に沿って上に凸の弧状に並ぶ３つ以上の突起部５２が含まれるように配置することができる。
【００８８】
なお、アイマスク１００は、図６（ａ）から図６（ｄ）を用いて説明したような変形例に係る突起部ユニット５０のうち、同一の形状の突起部ユニット５０を複数備えていたり、又は、互いに異なる形状の突起部ユニット５０を複数備えていたりしてもよい。
すなわち、このように、アイマスク１００は、複数の突起部ユニット５０を備えていてもよい。このようにすることによって、使用者が好みに応じて突起部ユニット５０をアイマスク本体部１０に貼り付ける数やレイアウトを調節することなどが可能となる。
また、このように、複数の突起部ユニット５０には、複数の突起部５２の並び方が互いに異なる複数種類の突起部ユニット５０が含まれていてもよい。このようにすることによって、使用者が好みに応じて突起部ユニット５０の種類を選択して用いることができる。
【００８９】
〔第２実施形態〕
次に、図７を用いて第２実施形態を説明する。
本実施形態に係るアイマスク（全体図示略）は、以下に説明する点で、上記の第１実施形態に係るアイマスク１００と相違しており、その他の点では、上記の第１実施形態に係るアイマスク１００と同様に構成されている。
【００９０】
図７に示すように、本実施形態の場合、アイマスク本体部１０は、突起部ユニット５０（図５（ａ）、図５（ｂ））の貼り付け位置を示す標示部１９を有する。標示部１９は、例えば、アイマスク本体部１０の第１シート１１における外面に印刷された囲み枠などである。
この囲み枠は、例えば、突起部ユニット５０と対応する形状に形成されている。すなわち、囲み枠の形状は、例えば、突起部ユニット５０の外形線及び開口５４の内周と対応する形状となっている。
なお、この囲み枠の形成領域には、模様（網掛け模様）などが印刷されていてもよい。
【００９１】
本実施形態によれば、アイマスク本体部１０が突起部ユニット５０の貼り付け位置を示す標示部１９を有しているので、使用者は、アイマスク本体部１０に対して突起部ユニット５０を貼り付ける位置を容易に認識できる。また、標示部１９の位置を目安にして突起部ユニット５０をアイマスク本体部１０に対して位置合わせして、突起部ユニット５０を容易にアイマスク本体部１０に貼り付けることができる。
【００９２】
なお、突起部ユニット５０の形状が図６（ａ）から図６（ｄ）を用いて説明したような変形例の形状である場合にも、同様に、アイマスク本体部１０に標示部が形成されていてもよい。これらの場合の標示部も、囲み枠とすることができ、囲み枠の形状は、突起部ユニット５０と対応する形状とすることができる。
【００９３】
本実施形態の場合、標示部１９を目安にして突起部ユニット５０をアイマスク本体部１０に貼り付けた状態で、複数の突起部５２が発熱体２０の周縁に沿って並んで配置される。換言すれば、標示部１９は、複数の突起部５２の貼り付け予定位置が発熱体２０の周縁に沿った位置であることを示している。
【００９４】
〔第３実施形態〕
次に、図８から図１１を用いて第３実施形態を説明する。
図９（ａ）、図９（ｂ）、図１０（ａ）及び図１０（ｂ）においては突起部５２の形状を単なる円で示しているが、突起部５２の形状は、例えば、図１１に示すように、第１実施形態と同様の形状となっている。
本実施形態に係るアイマスク（全体図示略）は、以下に説明する点で、上記の第１実施形態に係るアイマスク１００又は上記の第２実施形態に係るアイマスクと相違しており、その他の点では、上記の第１実施形態に係るアイマスク１００又は上記の第２実施形態に係るアイマスクと同様に構成されている。
【００９５】
上記の各実施形態では、突起部ユニット５０が単体のシート５０ａにより構成されている例を説明した。これに対し、本実施形態の場合、突起部ユニット５０（図１０（ａ）、図１１）は、アイマスク本体部１０に対して貼り付けられて土台となる基部シート６０（基部）（図８）と、基部シート６０に対して貼り付けられる貼付ユニット部５７（図９（ａ）、図９（ｂ））と、を備えて構成されている。
【００９６】
基部シート６０は、上記の第１実施形態における突起部ユニット５０の基部５１と同様の構造のものである。基部シート６０は、平坦に形成されている。図８に示すように、一例として、基部シート６０の平面形状は、上記の第１実施形態における突起部ユニット５０の全体の平面形状と同様の形状に設定されている。図１１に示すように、基部シート６０の裏面には、当該基部シート６０をアイマスク本体部１０に対して貼り付けるための貼付部５３が形成されている。
【００９７】
図１０（ａ）に示すように、突起部ユニット５０は、例えば、２つの貼付ユニット部５７を備えて構成されている。
貼付ユニット部５７は、基部５１と、基部５１に設けられている複数の突起部５２と、基部５１を基部シート６０に対して貼り付けるための貼付部５８（図１１）と、を備える。基部５１は、例えば、平坦に形成されている。貼付ユニット部５７は、第１実施形態における突起部ユニット５０と同様の構造のものである。貼付部５８は、貼付部５３と同様に、例えば、粘着剤により構成されている。
【００９８】
図９（ａ）及び図９（ｂ）に示すように、各貼付ユニット部５７は、Ｌ字状に並んで配置された複数（一例として７つ）の突起部５２を備えている。また、貼付ユニット部５７自体の全体形状も、例えば、複数の突起部５２の並び方向に沿ったＬ字状に形成されている。
一方の貼付ユニット部５７（図９（ａ））と他方の貼付ユニット部５７（図９（ｂ））とは、互いに左右対称に形成されている。
【００９９】
例えば、図１０（ａ）及び図１０（ｂ）に示すように、一方の貼付ユニット部５７は、基部シート６０の左半部に設けることができ、他方の貼付ユニット部５７は、基部シート６０の右半部に設けることができる。
図１０（ａ）の例では、貼付ユニット部５７の複数の突起部５２は、アイマスクの着用時に目の側方及び目の上方に配置される。
図１０（ｂ）の例では、貼付ユニット部５７の複数の突起部５２は、アイマスクの着用時に目の側方及び目の下方に配置される。
このように、基部シート６０に対して貼付ユニット部５７を貼り付ける位置を、使用者の好みに応じて選択することが可能となっている。
【０１００】
〔第４実施形態〕
次に、図１２（ａ）を用いて第４実施形態を説明する。
本実施形態に係るアイマスク（全体図示略）は、以下に説明する点で、上記の第１実施形態に係るアイマスク１００と相違しており、その他の点では、上記の第１実施形態に係るアイマスク１００と同様に構成されている。
【０１０１】
本実施形態の場合、突起部ユニット５０は、基部５１において、複数の突起部５２のうち互いに隣り合う突起部５２どうしの間の部位に形成された、易破断部（例えばミシン目５９）を備えている。
このため、突起部ユニット５０をミシン目５９に沿って破断することにより、突起部ユニット５０を分割してアイマスク本体部１０に貼り付けることができる。すなわち、使用者の好みに応じて、アイマスク本体部１０に貼り付けられる突起部５２の数を変更したり、アイマスク本体部１０に貼り付けられる突起部５２の並び方を変更したりすることができる。なお、突起部ユニット５０を複数に分割して得られた個々の個片を、それぞれアイマスク本体部１０に貼り付けて用いることもできる。
【０１０２】
易破断部によって、突起部５２を１つずつ分割できるようになっていても良いし、複数個単位で突起部５２を分割できるようになっていてもよい。
より詳細には、本実施形態の場合、突起部ユニット５０は、Ｌ字状に並んで配置された複数（一例として７つ）の突起部５２を備えている。また、突起部ユニット５０自体の全体形状も、例えば、複数の突起部５２の並び方向に沿ったＬ字状に形成されている。
例えば、Ｌ字形状の角をまたぐ２つの突起部５２どうしの間にはミシン目５９が形成されておらず、他の隣り合う突起部５２どうしの間にはそれぞれミシン目５９が形成されている。ただし、Ｌ字形状の角をまたぐ２つの突起部５２どうしの間にもミシン目５９が形成されていてもよい。
図示は省略するが、本実施形態の場合、アイマスク１００は、図１２（ａ）に示す突起部ユニット５０とは左右対称の形状のもう１つの突起部ユニット５０を備えている。
【０１０３】
また、基部５１を構成するシートの伸展性にもよるが、ミシン目５９を間に挟んで隣り合う突起部５２を互いに遠ざかる方向に引っ張ることによって、ミシン目５９を伸展させて、これら突起部５２どうしの距離を引き伸ばした状態で、突起部ユニット５０をアイマスク本体部１０に貼り付けることもできる。これにより、複数の突起部５２どうしの距離を使用者の好みに応じて調節することができる。
この場合、突起部ユニット５０は、基部５１において、複数の突起部５２のうち互いに隣り合う突起部５２どうしの間の部位に形成された、易伸展部（例えばミシン目５９）を備えている、といえる。
【０１０４】
本実施形態の場合も、第２実施形態と同様に、アイマスク本体部１０に標示部１９が形成されていても良い。
また、本実施形態の場合も、第３実施形態と同様に、突起部ユニット５０が基部シートと貼付ユニット部とを備えて構成されていてもよい。この場合、貼付ユニット部が、互いに隣り合う突起部５２どうしの間に形成されたミシン目５９（易破断部又は易伸展部）を備える構造となる。
【０１０５】
＜第４実施形態に係るアイマスクの突起部ユニットの変形例１＞
図１２（ｂ）に示すように、易破断部又は易伸展部としてのミシン目５９を有する突起部ユニット５０は、直線状に並ぶ複数の突起部５２を備えていてもよい。
【０１０６】
＜第４実施形態に係るアイマスクの突起部ユニットの変形例２＞
図１２（ｃ）に示すように、易破断部又は易伸展部としてのミシン目５９を有する突起部ユニット５０は、マトリクス状に並ぶ複数の突起部５２を備えていてもよい。
【０１０７】
＜突起部の形状の変形例＞
以下、図１３（ａ）から図１６（ｃ）を用いて、突起部５２の形状の変形例について説明する。
【０１０８】
＜突起部の形状の変形例１＞
本変形例に係る突起部５２は、図１３（ａ）、図１３（ｂ）及び図１３（ｃ）に示すように、第１段部５２ａと第２段部５２ｂとの間に配置された環状の凹部５２ｃを備えている。また、第１段部５２ａの頂部は、例えば、環状の平坦部５２ｄとなっている。
第１段部５２ａ、凹部５２ｃ及び第２段部５２ｂは互いに同心に配置されている。
【０１０９】
本変形例の場合も、上記の第１実施形態の場合と同様に、例えば、第１段部５２ａが押し潰された状態で、突起部５２（主として第２段部５２ｂ）により心地よいツボ押しを行うことができる。
また、本変形例の場合は、第２段部５２ｂにより皮膚を押圧してツボ押しする際に、凹部５２ｃが弾性変形することにより、第２段部５２ｂにより十分な弾性力を伴ってツボ押しすることができる。
【０１１０】
＜突起部の形状の変形例２＞
上記においては、個々の突起部５２が第１段部５２ａと第２段部５２ｂとを有する例を説明したが、本変形例の場合、図１４（ａ）、図１４（ｂ）及び図１４（ｃ）に示すように、複数の突起部５２に共通の共通段部７１が基部５１から突出して形成されており、各突起部５２は、共通段部７１から更に突出して形成されている。
共通段部７１は、複数の突起部５２の並び方向において長尺な帯状に延在しており、例えば、当該並び方向に亘ってほぼ一定の高さ寸法に形成されている。
【０１１１】
なお、共通段部７１及び突起部５２の内部は、例えば、空洞となっている。共通段部７１において、隣り合う突起部５２どうしの間に位置する部分は、例えば、他部よりも括れた形状の括れ部７１ａとなっている。
各突起部５２の形状は、例えば、第１実施形態における突起部５２の第２段部５２ｂと同様に、頂部が丸みを帯びた円錐状の形状となっている。
【０１１２】
本変形例の場合は、複数の突起部５２が共通段部７１上に形成されているため、複数の突起部５２どうしの一体性が向上する。よって、複数の突起部５２により一度に十分な押圧強度でツボ押しを行うことができる。
【０１１３】
＜突起部の形状の変形例３＞
上記の変形例２においては、個々の突起部５２が略円錐状である例を説明したが、本変形例の場合は、図１５（ａ）、図１５（ｂ）及び図１５（ｃ）に示すように、各突起部５２は、当該突起部５２の突出方向に視たときの形状が一方向に長尺な山型形状となっている。
なお、本変形例の場合も、複数の突起部５２に共通の共通段部７１が基部５１から突出して形成されており、各突起部５２は、共通段部７１から更に突出して形成されている。共通段部７１は、複数の突起部５２の並び方向において長尺な帯状に延在しており、例えば、当該並び方向に亘ってほぼ一定の高さ寸法に形成されている。共通段部７１は、例えば、半割筒状に形成されている。
なお、各突起部５２の長手方向は、共通段部７１の延在方向に対して交差（例えば直交）する方向となっている。
【０１１４】
＜突起部の形状の変形例４＞
本変形例の場合は、図１６（ａ）、図１６（ｂ）及び図１６（ｃ）に示すように、上記の変形例３の場合と比べて更に、各突起部５２が共通段部７１の延在する方向に対して交差する方向（例えば直交する方向）に長い形状に形成されている。例えば、各突起部５２の長手方向における両端部（裾部は、基部５１に達している。つまり、各突起部５２は、共通段部７１を横断している。共通段部７１を半割の竹に見立てると、各突起部５２は、竹の節のような形状に形成されている。
【０１１５】
〔第５実施形態〕
次に、図１７（ａ）、図１７（ｂ）及び図１７（ｃ）を用いて第５実施形態を説明する。
本実施形態に係るアイマスク１００は、以下に説明する点で、上記の第１実施形態に係るアイマスク１００と相違しており、その他の点では、上記の第１実施形態に係るアイマスク１００と同様に構成されている。
【０１１６】
図１７（ａ）に示すように、本実施形態の場合も、突起部ユニット５０がアイマスク本体部１０に貼り付けられている。また、複数の突起部５２の配置は、例えば、図１７（ａ）に示すように、図３に示す配置と同様である。
本実施形態の場合、各突起部５２の形状は、例えば、図１３（ａ）、図１３（ｂ）及び図１３（ｃ）に示すものと同様である。ただし、各突起部５２の形状は、その他の形状でもよい。
【０１１７】
本実施形態の場合、アイマスク１００は、高さ寸法（突起部５２の突出方向における寸法）が互いに異なる複数の突起部５２を備えている。したがって、突起部ユニット５０は、高さ寸法が互いに異なる複数の突起部５２を備えている。
【０１１８】
より詳細には、例えば、図１７（ａ）に示すように、左目覆い部１０ａに設けられた発熱体２０の上縁２０ａに沿って左右に並んで配置されている複数（例えば４つ）の突起部５２のうち、アイマスク本体部１０の横幅方向における中央寄りに配置されている３つの突起部５２は、相対的に高さ寸法が大きい（突出方向における寸法が大きい）第１突起部５２１である。
また、左目覆い部１０ａに設けられた発熱体２０の上縁２０ａに沿って左右に並んで配置されている複数（例えば４つ）の突起部５２のうち、上記第１突起部５２１を除いた残り１つの突起部５２は、相対的に高さ寸法が小さい（突出方向における寸法が第１突起部５２１よりも小さい）第２突起部５２２である。
また、左目覆い部１０ａに設けられた発熱体２０の側縁２０ｃ（アイマスク本体部１０の横幅方向における端部寄りの側縁）に沿って上下に並んで配置されている複数（例えば３つ）の突起部５２のうち、例えば、上側の２つの突起部５２は第２突起部５２２であり、最も下に位置する１つの突起部５２は、第２突起部５２２と高さ寸法が等しい第２突起部５２３である。
【０１１９】
また、右目覆い部１０ｂには、左目覆い部１０ａとは左右対称に、複数の突起部５２が配置されている。
【０１２０】
図１７（ｂ）に示すように、第１突起部５２１の形状は、例えば、図１３（ｃ）に示す突起部５２と同じである。
一方、図１７（ｃ）に示すように、第２突起部５２２、５２３は、第１突起部５２１を全体的に高さ方向（突出方向）において縮めたような形状となっている。
このため、第１突起部５２１の第１段部５２ａの側周面の傾斜角度や第２段部５２ｂの側周面の傾斜角度よりも、第２突起部５２２、５２３の第１段部５２ａの側周面の傾斜角度や第２段部５２ｂの側周面の傾斜角度の方が緩くなっている。
【０１２１】
このように、本実施形態に係るアイマスク１００は、突起部５２として、第１突起部５２１と、突出方向における寸法が第１突起部５２１よりも小さい第２突起部５２２、５２３と、を含む。
なお、第１突起部５２１の第２段部５２ｂの側周面の傾斜角度と第２突起部５２２、５２３の第２段部５２ｂの側周面の傾斜角度とが互いに等しい一方で、第１突起部５２１の第１段部５２ａの側周面の傾斜角度よりも第２突起部５２２、５２３の第１段部５２ａの側周面の傾斜角度が緩くなっていることによって、突出方向において第２突起部５２２、５２３の寸法が第１突起部５２１の寸法よりも小さくなっていてもよい。また、第１突起部５２１の第１段部５２ａの側周面の傾斜角度と第２突起部５２２、５２３の第１段部５２ａの側周面の傾斜角度とが互いに等しい一方で、第１突起部５２１の第２段部５２ｂの側周面の傾斜角度よりも第２突起部５２２、５２３の第２段部５２ｂの側周面の傾斜角度が緩くなっていることによって、突出方向において第２突起部５２２、５２３の寸法が第１突起部５２１の寸法よりも小さくなっていてもよい。
また、第１突起部５２１は、アイマスク本体部１０の横幅方向における中央寄りの位置に配置されており、第２突起部５２２、５２３は、アイマスク本体部１０の横幅方向における端部寄りの位置に配置されている。
【０１２２】
第１突起部５２１の突出方向における第１突起部５２１の寸法は、特に限定されないが、例えば、２ｍｍ以上１０ｍｍ以下であることが好ましく、３ｍｍ以上８ｍｍ以下であることがより好ましい。
第２突起部５２２、５２３の突出方向における第２突起部５２２、５２３の寸法は、特に限定されないが、例えば、１ｍｍ以上８ｍｍ以下であることが好ましく、２ｍｍ以上６ｍｍ以下であることがより好ましい。
【０１２３】
突出方向における寸法が相対的に大きい第１突起部５２１は、使用者の顔の表面に対してしっかり当てることができ、第１突起部５２１によって心地よいマッサージ効果を得ることができる。
その一方で、突出方向における寸法が相対的に小さい第２突起部５２２、５２３は、使用者の顔の表面に対するフィット性が良好であり、使用者は第２突起部５２２、５２３による鍼灸効果を実感することができる。
このように、本実施形態によれば、突出方向における寸法が互いに異なる突起部５２により、それぞれ異なる効果を得ることができる。
【０１２４】
なお、第５実施形態では、アイマスク１００が備える突起部５２の高さ寸法が２種類である例を説明したが、アイマスク１００が備える突起部５２の高さ寸法が３種類以上であってもよい。
また、図１７（ａ）に示す複数の突起部５２のなかでは、発熱体２０の側縁２０ｃに沿って上下に並ぶ複数の突起部５２のうち、最も下に位置する第２突起部５２３は、最も必要性が低いと考えられ、アイマスク１００は第２突起部５２３を有していない構造であってもよい。
【０１２５】
〔第６実施形態〕
引き続き図１７（ａ）を用いて第６実施形態に係るアイマスク１００を説明する。本実施形態に係るアイマスク１００は、以下に説明する点で、上記の第５実施形態に係るアイマスク１００と相違しており、その他の点では、上記の第５実施形態に係るアイマスク１００と同様に構成されている。
【０１２６】
本実施形態の場合、第１突起部５２１の形状と第２突起部５２２、５２３の形状とが互いに等しい。ただし、第２突起部５２２、５２３は、第１突起部５２１と比べて、突出方向の荷重に対して潰れやすい。
すなわち、アイマスク１００は、突起部５２として、第１突起部５２１と、突出方向の荷重に対して第１突起部５２１よりも潰れやすい第２突起部５２２、５２３と、を含む。
また、第１突起部５２１は、アイマスク本体部１０の横幅方向における中央寄りの位置に配置されており、第２突起部５２２、５２３は、アイマスク本体部１０の横幅方向における端部寄りの位置に配置されている。
【０１２７】
第２突起部５２２、５２３が第１突起部５２１と比べて突出方向の荷重に対して潰れやすい構造を実現する手法としては、第２突起部５２２、５２３を構成する不織布シートの坪量を第１突起部５２１を構成する不織布シートの坪量よりも小さくすること、第２突起部５２２、５２３を構成する不織布シートと第１突起部５２１を構成する不織布シートとで材料を異ならせること、又は、第２突起部５２２、５２３を加工するプレス温度を第１突起部５２１を加工するプレス温度よりも低くすること、などが挙げられる。
【０１２８】
突出方向の荷重に対して第１突起部５２１よりも潰れやすい第２突起部５２２、５２３は、使用者の顔の表面に対するフィット性が良好であり、使用者は第２突起部５２２、５２３による鍼灸効果を実感することができる。
【０１２９】
なお、本実施形態において、突出方向の荷重に対する突起部５２の潰れやすさが２種類（第１突起部５２１と、第２突起部５２２、５２３との２種類）である例を説明したが、突出方向の荷重に対する突起部５２の潰れやすさが３種類以上であってもよい。
また、本実施形態においても、第５実施形態と同様に、アイマスク１００は、高さ寸法が互いに異なる複数の突起部５２を備えていてもよく、例えば、第１突起部５２１の高さ寸法よりも第２突起部５２２、５２３の高さ寸法を小さくしてもよい。
また、本実施形態においても、アイマスク１００は第２突起部５２３を有していなくてもよい。
【０１３０】
本発明は上述の実施形態に限定されるものではなく、本発明の目的が達成される限りにおける種々の変形、改良等の態様も含む。
例えば、アイマスク１００は、互いに面積が異なる複数の突起部５２を備えていてもよい。互いに同一の平面形状の突起部５２どうしを比較した場合、より面積が大きい突起部５２の方が、使用者の顔の表面に対するフィット性が良好となる。
また、各実施形態及び各変形例は、本発明の趣旨を逸脱しない範囲で適宜に組み合わせることができる。
【０１３１】
また、上記実施形態は、以下の技術思想を包含する。
（１）シート状の基材と前記基材に設けられた発熱体とを備えて構成されていて目周りを覆うアイマスク本体部と、前記アイマスク本体部に設けられている突起部と、を備えるアイマスク。
このようなアイマスクによれば、発熱体により顔面（目周り）を加温しながら、突起部によるツボ押しを行うことができる。よって、発熱体による温熱作用（例えば、蒸気温熱作用）とツボ押しとの相乗効果が得られる。
【符号の説明】
【０１３２】
１０  アイマスク本体部
１０ａ  左目覆い部
１０ｂ  右目覆い部
１１  第１シート
１２  第２シート
１３  接合部
１４  上側スリット
１５  下側スリット
１８  収容空間
１９  標示部
２０  発熱体
２０ａ  上縁
２０ｂ  下縁
２０ｃ  側縁
２０ｄ  側縁
２１  第１被覆シート
２２  第２被覆シート
２３  発熱部
２４  接合部
３０  耳掛け部
３１  耳掛け部構成シート
３２  耳掛け用開口
３３  固定部
３４  第１耳掛け用スリット
３５  第２耳掛け用スリット
５０  突起部ユニット
５０ａ  シート
５１  基部
５２  突起部
５２ａ  第１段部
５２ｂ  第２段部
５２ｃ  凹部
５２ｄ  平坦部
５２１  第１突起部
５２２、５２３  第２突起部
５３  貼付部
５４  開口
５５  上側スリット
５６  切欠形状部
５７  貼付ユニット部
５８  貼付部
５９  ミシン目（易破断部、易伸展部）
６０  基部シート（基部）
７１  共通段部
７１ａ  括れ部
１００  アイマスク
【図１】
2019107402.tif 000003
【図２】
2019107402.tif 000004
【図３】
2019107402.tif 000005
【図４】
2019107402.tif 000006
【図５】
2019107402.tif 000007
【図６】
2019107402.tif 000008
【図７】
2019107402.tif 000009
【図８】
2019107402.tif 000010
【図９】
2019107402.tif 000011
【図１０】
2019107402.tif 000012
【図１１】
2019107402.tif 000013
【図１２】
2019107402.tif 000014
【図１３】
2019107402.tif 000015
【図１４】
2019107402.tif 000016
【図１５】
2019107402.tif 000017
【図１６】
2019107402.tif 000018
【図１７】
2019107402.tif 000019